(57)【要約】  本発明は、支持体と、該支持体に取り付けられカバーを備えた患者収容ユニットとを含むインキュベータに関し、上記カバーには患者を処置するための処置窓などの手段が設けられ、上記患者収容ユニットは、加熱空気及び／又は加湿空気用の１又は複数の導管を介して加熱エレメント及び／又は加湿エレメントに結合され、上記導管にはポンプが備え付けられ、このポンプ、加熱エレメント及び／又は加湿エレメントは支持体の脚部内に位置し、加熱空気及び／又は加湿空気用の１又は複数の導管は脚部と患者収容ユニットとの間で延び、支持体は実質的に患者収容ユニットの片側に位置して、患者収容ユニットの下に自由な足元の空間を残す。【選択図】図１
2009519092.tif 000002
【特許請求の範囲】
【請求項１】
支持体（２）と、該支持体（２）に取り付けられカバー（４）を有する患者収容ユニット（３）とを備え、前記カバー（４）は患者を処置するための処置窓（５）などの手段を備え、前記患者収容ユニット（３）は、加熱空気及び／又は加湿空気用の１又は複数の導管を介して加熱エレメント及び／又は加湿エレメントに結合され、前記導管にポンプが備え付けられたインキュベータ（１）であって、前記ポンプ、前記加熱エレメント及び／又は前記加湿エレメントは前記支持体（２）の脚部内に位置し、加熱空気及び／又は加湿空気用の前記１又は複数の導管は前記脚部（６）と前記患者収容ユニット（３）との間で延び、前記支持体（２）は実質的に前記患者収容ユニット（３）の片側に位置して、前記患者収容ユニットの下に自由な足元の空間を残した、
ことを特徴とするインキュベータ（１）。
【請求項２】
前記患者収容ユニット（３）の外側で前記カバー（４）の処置窓（５）の下に１又は複数のアームレスト（８）が備えられた、
ことを特徴とする請求項１に記載のインキュベータ（１）。
【請求項３】
前記１又は複数のアームレスト（８）は旋回可能である、
ことを特徴とする請求項２に記載のインキュベータ（１）。
【請求項４】
前記患者収容ユニット（３）は、前記支持体（２）に沿って高さを調節できる、
ことを特徴とする請求項１から請求項３の１項に記載のインキュベータ（１）。
【請求項５】
前記１又は複数の導管は伸縮自在に設計されたものである、
ことを特徴とする請求項４に記載のインキュベータ（１）。
【請求項６】
前記支持体（２）は前記患者収容ユニット（３）の上方まで延び、そこに遮光部（１０）が締結されたサスペンション部材（９）が設けられる、
ことを特徴とする上記請求項のうちの１項に記載のインキュベータ（１）。
【請求項７】
前記遮光部（１０）は、高さの調節が可能であると共に、前記遮光部（１０）を設置する選択位置を記憶するためのメモリ機能を備える、
ことを特徴とする請求項６に記載のインキュベータ（１）。
【請求項８】
前記遮光部（１０）は防音材料で製造される、
ことを特徴とする請求項６又は請求項７に記載のインキュベータ（１）。
【請求項９】
前記遮光部（１０）は、該遮光部の表側に蝶番で取り付けた所定数の木の葉形のカバー部（１１）を備える、
ことを特徴とする請求項６から請求項８の１項に記載のインキュベータ（１）。
【発明の詳細な説明】
【技術分野】
【０００１】
本発明は、支持体と、該支持体に取り付けられカバーを備えた患者収容ユニットとを含むインキュベータに関し、上記カバーには患者を処置するための処置窓などの手段が設けられ、上記患者収容ユニットは、加熱空気及び／又は加湿空気用の１又は複数の導管を介して加熱エレメント及び／又は加湿エレメントに結合され、上記導管にはポンプが備え付けられる。
【背景技術】
【０００２】
このようなインキュベータは、米国特許出願第ＵＳ−Ａ−５，４５３，０７７号により公知である。この公知のインキュベータは高さの調節ができず、また患者収容ユニットの下に隙間がない。この従来技術によるインキュベータのこれら両方の特徴のために、看護スタッフ又はこのインキュベータの他の使用者は、人間工学に適った作業姿勢をとることが不可能である。
【０００３】
ドイツ特許出願第ＤＥ−Ａ−３５  ４４  ３０１号によれば、支持体に取り付けられカバーを備えた患者収容ユニットを有するインキュベータが公知である。
【０００４】
ドイツ特許出願第ＤＥ−Ａ−３５  ４４  ３０１号によって公知の患者収容ユニットは、その下部に制御パネルが備えられ、該制御パネルを用いて、患者収容ユニット内に導入される加熱空気及び／又は加湿空気の量を調整することができる。
【０００５】
米国特許出願第ＵＳ−Ａ−５，４５３，０７７号によって公知のインキュベータのような、今日知られているインキュベータには、加熱空気及び／又は加湿空気を患者収容ユニット内に導入できるようにするポンプ手段と同様に、加熱エレメント及び／又は加湿エレメントも患者収容ユニットの真下に設けられているというさらなる問題が示されている。インキュベータ内に入れられた乳幼児は、これらの隣接装置からの音により多くのストレスを受けていると考えられている。脳及び身体がまだ発育中である未熟児では、この音は生涯にわたる精神的かつ身体的な問題を招く可能性がある。さらに、周辺からの騒音は同様に否定的な影響を及ぼす可能性がある。
【０００６】
既に述べたように、インキュベータにおいて座って作業することが容易でないという理由から、公知のインキュベータには人間工学上の問題も存在する。ドイツ特許出願第ＤＥ−Ａ−３５  ４４  ３０１号により公知のインキュベータを用いても、やはり人間工学上最適な座位をとることは不可能である。このことは、看護スタッフの作業環境に関して有害であるだけでなく、新生児と目を合わせようと試み、またそれを可能にするために不自然な姿勢を取る必要がある親たちに関しても有害である。子供と触れ合うために、その親たちは不快な姿勢で数時間もインキュベータのそばに座ることが多い。多くの場合、親たちは自分の頭の向きを子供の頭の向きに合わせようとするが、そのため首を不快な姿勢に曲げなければならなくなる。長時間にわたって腕をインキュベータ内へと伸ばす場合、看護スタッフと同様に親たちも腕と肩とに痛みを訴えている。
【０００７】
更なる問題として、インキュベータは、多くの場合一日２４時間照明される環境に置かれているという事実に関する問題があり、それにより、患者収容ユニット内の患者が適切な睡眠パターンを確立することが困難になっている。
【０００８】
米国特許出願第ＵＳ−Ａ−３，８０９，０６５号により、支持体に取り付けられ、決められた高さに設置された患者収容ユニットを備え、該患者収容ユニットの真下にポンプ及び／又は加熱エレメントを設けたインキュベータが公知である。
【０００９】
このポンプ／加熱エレメントと患者収容ユニットとの間隔は、米国特許出願第ＵＳ−Ａ−５，４５３，０７７号によって公知のインキュベータのものより大きいが、その騒音負荷は患者にとって最適なものではない。いずれにせよ、この公知のインキュベータの構造は、このインキュベータにおいて人間工学的に信頼性のある態様で作業できるように設計されたものではない。
【００１０】
【特許文献１】米国特許出願第ＵＳ−Ａ−５，４５３，０７７号
【特許文献２】ドイツ特許出願第ＤＥ−Ａ−３５  ４４  ３０１号
【発明の開示】
【発明が解決しようとする課題】
【００１１】
本発明の目的は、以上概説した問題点を取り除くことにある。
【課題を解決するための手段】
【００１２】
この目的を達成するために、本発明によるインキュベータは、添付の請求項のうちの１又はいくつかにより特徴付けられる。
【００１３】
本発明の第１の側面では、このインキュベータは、ポンプ、加熱エレメント及び／又は加湿エレメントが支持体の脚部内に配置され、加熱空気及び／又は加湿空気用の１又は複数の導管が脚部と患者収容ユニットとの間で延び、支持体が実質的に患者収容ユニットの片側に位置して、患者収容ユニットの下に自由な足元の空間を残すことを特徴とする。
【００１４】
本発明によるインキュベータでは、２つの問題点、すなわち一方で、患者収容ユニット内の患者がインキュベータの発する騒音に悩まされるという問題点と、他方で、公知のインキュベータによって人間工学に適った座位及び作業位置をとることがほとんど不可能であるという問題点とが同時に解決されることになる。ポンプを支持体の脚部内に収納することにより、騒音源が患者収容ユニットの間近から遠ざけられ、その騒音源としての影響が低減される。さらに、支持体が患者収容ユニットの片側に置かれていることに加え、支持体の脚部内におけるこの収納により、患者収容ユニットの下に追加の空間が作り出され、それによりインキュベータで人間工学的に信頼性のある座位又は作業姿勢をとるためのより良い可能性が与えられる。この可能性は、加熱エレメント及び加湿エレメントも支持体の脚部内に好適に収納することにより更に促進される。
【００１５】
本発明によって提案されるインキュベータの更なる利点は、例えば新生児の母親のために、ベッドをインキュベータの下に移動させることができるという点である。その結果、母親はぎごちないリクライニング姿勢、又は座位をとらずに患者と目を合わせることができるようになる。
【００１６】
様々な改良のために、患者収容ユニットは支持体に沿って高さが調節できることが望ましい。この目的のために、１又は複数の導管は伸縮自在に設計されたものであると好都合である。
【００１７】
作業中に人間工学的に信頼性のある姿勢を促すために、患者収容ユニットの脇に１又は複数のアームレストを備えることが更に望ましい。
【００１８】
この１又は複数のアームレストが旋回可能であることも好都合である。この１又は複数のアームレストの機能は、水平又は垂直の旋回運動を含むことができる。
【００１９】
本発明のさらに別の側面では、このインキュベータは、支持体が患者収容ユニットの上方まで延び、そこに遮光部が締結されたサスペンション部材が設けられることを特徴とする。このような遮光部により、予め設定された時点でインキュベータから周辺光を排除できるようになり、その結果患者収容ユニット内の患者が周辺光によって悩まされないようになる。
【００２０】
上述の機能を簡単にし、かつ実用的にするために、遮光部は高さの調節ができ、また遮光部が設けられた選択位置を記憶するメモリ機能を備えることが有用である。
【００２１】
遮光部が防音材料で製造されると更に好都合である。このようにして、遮光部は周辺騒音に対する防音体としても機能する。
【００２２】
遮光部に所定数の木の葉形のカバーエレメントを設け、これらを遮光部の表側に蝶番で取り付けることにより、その使い勝手がよくなる。
【００２３】
本明細書では以下、特許請求の範囲を限定することなく、例示的な実施形態によってかつ図面を参照しながら本発明についてさらに説明する。
【００２４】
図において同一の参照番号は同様の部分を示すものとする。
【発明を実施するための最良の形態】
【００２５】
最初に図１を参照すると、本発明によって提案されるインキュベータを示している。
【００２６】
このインキュベータは参照番号１がつけられると共に、支持体２と、この支持体２に取り付けられ、通常透明であるカバー４が設けられた患者収容ユニット３を備える。
【００２７】
通常どおり、カバー４には患者を処置するための処置窓５が設けられている。
【００２８】
支持体２は脚部６の上に設置され、この脚部６にはポンプ及び好適にはインキュベータの加熱エレメント及び／又は加湿エレメントも収納される。当業者であれば、ポンプ、加熱エレメント及び加湿エレメントの外観については完全に熟知しており、かつこれらの構成要素を脚部６内にどのように収納すべきかについても想像することができるため、これらのエレメントを実際に図に示す必要はない。
【００２９】
支持体２、つまり支持体２の脚部６と患者収容ユニット３との間で延びる部分には、加熱空気及び／又は加湿空気用の１又は複数の導管（供給パイプ及び戻りパイプ）が収納され、それによって上記患者収容ユニット３と脚部６内に備えられた加熱エレメント及び／又は加湿エレメントとの間で結合が行われる。
【００３０】
図２は、本発明によるインキュベータ１により、看護師７が人間工学に適った座位をとることができることを示している。
この目的のために、支持体２は患者収容ユニット３の完全に片側に設置され、また患者収容ユニット３の側面で、処置窓５より下にアームレスト８も設けることが望ましい。
【００３１】
図１及び図２はまた、支持体２の両側から見て、カバー４には患者収容ユニット３内の患者を処置するための処置窓５が設けられていることも明確に示している。さらに、このカバーをこのような窓が無い状態で実現し、例えば（カバーの一部を）持上げ可能にするか、或いは蝶番で開くことができるようにしてもよい。
【００３２】
図３はインキュベータ１を後方から示し、アームレスト８が垂直軸の周りを水平面を成して旋回できることを示している。更なる利点として、支持体２に沿って患者収容ユニット３の高さを調節することができ、この目的のために前述の１又は複数の導管が伸縮自在に設計されたものであるという点がある。これにより、図４に示すように、例えば患者の母親が入ったベッドの位置決めが容易になる。
【００３３】
様々な図１〜図４は、支持体２が患者収容ユニット３の上方まで延び、そこに遮光部１０が締結されたサスペンション部材９が設けられていることを示している。
【００３４】
図１〜図４は、この遮光部１０に、図示の場合では４個であるが、所定数の木の葉形のカバー部１１が設けられ、これらが遮光部の表側に蝶番で取り付けられていることを示している。
【００３５】
図５は、患者収容ユニットの上に位置するときの、木の葉形のカバー部１１を蝶番で降ろした状態の遮光部１０を示している。
【００３６】
遮光部１０は防音材料で製造されることが望ましく、それにより遮光部１０は、光の排除とは別に音の減衰機能も有するようになる。
【００３７】
様々な図からわかるように、遮光部１０を位置合わせするためにその高さを調節できることが望ましく、その目的のために、選択した位置を記憶するためのメモリ機能が備えられ、遮光部１０がいつでもその位置に調節済みであることが望ましい。
【図面の簡単な説明】
【００３８】
【図１】本発明によるインキュベータの斜め正面図である。
【図２】使用中の本発明によるインキュベータの正面図である。
【図３】本発明によるインキュベータの背面図である。
【図４】下にベッドを置いた状態の本発明によるインキュベータを示す図である。
【図５】遮光部が患者収容ユニットを覆っている状態の本発明によるインキュベータを示す図である。
【符号の説明】
【００３９】
１  インキュベータ
２  支持体
３  患者収容ユニット
４  カバー
５  処置窓
６  脚部
８  アームレスト
９  遮光部
１０  遮光部
１１  木の葉形のカバー部
【図１】
2009519092.tif 000003
【図２】
2009519092.tif 000004
【図３】
2009519092.tif 000005
【図４】
2009519092.tif 000006
【図５】
2009519092.tif 000007
【国際調査報告】
2009519092.tif 000008
2009519092.tif 000009
2009519092.tif 000010